(57)【要約】【課題】遊技機の裏側の上部における利用可能なスペースの更なる拡大化を図ることができる遊技機の球受入流下装置を提供する。【解決手段】遊技機４の球受入流下装置１は、遊技機４の上側に配置される球供給部６から受け入れた遊技球を、遊技機４内における下側へ流下させるよう構成されている。球受入流下装置１は、遊技機４における上側角部４１５付近に配置され、球供給部６における球供給口６１に連通される球受入口２１を有する球受入部２０と、球受入部２０の下方に連結され、遊技機４の左右方向Ｗの端部付近において上下方向Ｈに沿って遊技球を流下させるための球流下部３とを備える。【選択図】図４
2019024840.tif 000002
【特許請求の範囲】
【請求項１】
遊技機の上側に配置される球供給手段から受け入れた遊技球を、前記遊技機内における下側へ流下させるよう構成された、遊技機の球受入流下装置であって、
前記遊技機における上側角部付近に配置され、前記球供給手段における球供給口に連通される球受入口を有する球受入部と、
前記球受入部の下方に連結され、前記遊技機の左右方向の端部付近において、少なくとも上流側部分が上下方向に沿って遊技球を流下させるよう形成された球流下部と、を備える遊技機の球受入流下装置。
【請求項２】
前記球受入部は、前記球受入口から遊技球を受けて、前記遊技機における遊技状態に応じて所定数の遊技球を払い出す球払出装置によって構成されている、請求項１に記載の遊技機の球受入流下装置。
【請求項３】
前記球供給手段における、前記球受入部と係合する位置には、前記球受入部に設けられた位置決め部を案内して、前記球供給口と前記球受入口との上下方向、前後方向及び左右方向の位置決めを行うための案内部と、前記案内部を前記位置決め部へ付勢するための付勢部とが設けられている、請求項１又は２に記載の遊技機の球受入流下装置。
【発明の詳細な説明】
【技術分野】
【０００１】
本発明は、遊技機の外部から受け入れた遊技球を、遊技機内における下側へ流下させるよう構成された、遊技機の球受入流下装置に関する。
【背景技術】
【０００２】
パチンコ遊技機等の遊技機においては、遊技の趣向性の更なる向上のために、遊技盤に形成される遊技領域の更なる拡大化への要望が継続して存在している。また、遊技盤の裏側には、遊技領域における種々の演出を行うための機能部品が配置される。この機能部品を配置可能なスペースを拡大するためには、遊技機の裏側におけるスペースとして、例えば、遊技盤が配置された本体枠の裏側に配置される裏機構部における開口領域を拡大する必要がある。
【０００３】
通常の遊技機においては、裏機構部に球タンク及びタンクレールが設けられており、球タンクによって貯留された遊技球をタンクレールにおいて整流して流下させて、球皿へ賞品球を払い出す球払出装置へ供給している。一方、遊技機の裏側におけるスペースを拡大するために、球タンク及びタンクレールを廃止し、遊技機が設置された島設備から受け入れる遊技球を球払出装置へ供給する遊技機も開発されている。
【０００４】
例えば、特許文献１のパチンコ機における賞品球排出装置においては、パチンコ島台（島設備）の補給ホースの下端部に設けられた賞品球補給装置から、パチンコ機の上部に配置された賞品球受部へ遊技球を受けることが記載されている。また、賞品球受部から賞品球排出装置（球払出装置）へは、左右方向に形成された屈曲路を経由して賞品球が供給される。
【先行技術文献】
【特許文献】
【０００５】
【特許文献１】実登２５２６８０３号公報
【発明の概要】
【発明が解決しようとする課題】
【０００６】
しかしながら、遊技機の裏側における利用可能なスペースを更に拡大するためには、特許文献１の賞品球排出装置によっても十分ではない。具体的には、この賞品球排出装置における屈曲路には、賞品球が自重によって転動可能な緩斜路が形成されている。そのため、屈曲路が、パチンコ機（遊技機）の裏側において左右方向に占有するスペースが大きく、パチンコ機の裏側における利用可能なスペースを更に拡大するための妨げとなる。
【０００７】
本発明は、かかる課題に鑑みてなされたもので、遊技機の裏側の上部における利用可能なスペースの更なる拡大化を図ることができる遊技機の球受入流下装置を提供しようとして得られたものである。
【課題を解決するための手段】
【０００８】
本発明の一態様は、遊技機の上側に配置される球供給手段から受け入れた遊技球を、前記遊技機内における下側へ流下させるよう構成された、遊技機の球受入流下装置であって、
前記遊技機における上側角部付近に配置され、前記球供給手段における球供給口に連通される球受入口を有する球受入部と、
前記球受入部の下方に連結され、前記遊技機の左右方向の端部付近において、少なくとも上流側部分が上下方向に沿って遊技球を流下させるよう形成された球流下部と、を備える遊技機の球受入流下装置にある。
【発明の効果】
【０００９】
前記一態様の遊技機の球受入流下装置においては、遊技機が設置される島設備等の球供給手段から遊技球を受け入れる球受入部が、遊技機における左側又は右側の上側角部付近に配置されている。また、遊技機の左右の端部付近において、少なくとも上流側部分が上下方向に沿って遊技球を流下させるよう形成された球流下部が、球受入部の下方に連結されている。つまり、球受入部、及び球流下部の少なくとも上流側部分は、ともに遊技機の左右の端部付近に配置され、球受入部及び球流下部が、遊技機の裏側における左右方向に占有するスペースを極力小さくすることができる。
【００１０】
また、球供給手段から球受入部へ遊技球を受け入れることにより、遊技機の裏側の上部において遊技球を貯留するための球タンク及びタンクレールを廃止することができる。そして、遊技機の裏側において、球受入部、及び球流下部の少なくとも上流側部分が配置されるスペースは、遊技機の左右のいずれかの端部に集約される。これにより、遊技機の裏側の上部において、種々の機能部品の配置に利用可能なスペースを更に拡大することができる。
【００１１】
それ故、前記一態様の遊技機の球受入流下装置によれば、遊技機の裏側の上部における利用可能なスペースの更なる拡大化を図ることができる。
【図面の簡単な説明】
【００１２】
【図１】実施形態にかかる、球受入流下装置が配置された遊技機を、遊技機の裏側から見た状態で示す説明図。
【図２】実施形態にかかる、島設備側の球供給部と球受入流下装置の球受入部とが連結された状態を、遊技機の左右方向から見た状態で示す断面説明図。
【図３】実施形態にかかる、島設備側の球供給部を、遊技機の左右方向から見た状態で示す断面説明図。
【図４】実施形態にかかる、島設備側の球供給部と球受入流下装置の球受入部とが連結された状態を、遊技機の裏側から見た状態で示す斜視図。
【図５】実施形態にかかる、島設備側の球供給部を、遊技機の裏側から見た状態で示す斜視図。
【図６】実施形態にかかる、球受入流下装置の球受入部及び球流下部の一部を、遊技機の裏側から見た状態で示す斜視図。
【発明を実施するための形態】
【００１３】
前記球受入部は、前記球受入口から遊技球を受けて、前記遊技機における遊技状態に応じて所定数の遊技球を払い出す球払出装置によって構成されていてもよい。この場合には、球払出装置を利用して球受入部を形成することができる。また、この場合には、球流下部の全体が、遊技機の左右方向の端部付近において上下方向に沿って形成されていてもよい。また、この場合には、球払出装置における遊技球の出口側には、遊技球が貯留されないため、遊技機に保有される遊技球の数を極力少なくすることができる。
【００１４】
また、球払出装置は、遊技機における上下方向の中間部付近又は下部付近に配置されていてもよい。この場合には、球流下部は、球払出装置に対して遊技球の流れの上流側に接続された部分となる。
【００１５】
＜実施形態＞
前述した遊技機の球受入流下装置にかかる好ましい実施形態について、図面を参照して説明する。
遊技機４の球受入流下装置１は、図１及び図２に示すように、遊技機４の上側に配置される球供給手段としての球供給部６から受け入れた遊技球Ｂを、遊技機４内における下側へ流下させるよう構成されている。球受入流下装置１は、遊技機４における上側角部４１５付近に配置され、球供給部６における球供給口６１に連通される球受入口２１を有する球受入部２０と、球受入部２０の下方に連結され、遊技機４の左右方向Ｗの端部付近において上下方向Ｈに沿って遊技球Ｂを流下させるための球流下部３とを備える。図１は、遊技機４を、前後方向Ｄの裏側Ｄ１から見た状態で示す。
【００１６】
以下に、本形態の遊技機４の球受入流下装置１について詳説する。
（遊技機４の構成）
図１に示すように、本形態の遊技機４は、パチンコ遊技機であり、外枠４０と、遊技盤が取り付けられて外枠４０に対して開閉可能に配置された本体枠４１と、本体枠４１に対して開閉可能に配置されて遊技盤の前面を覆う前扉とを備える。本体枠４１の裏側Ｄ１には、遊技球Ｂの払い出し制御等を行う制御装置、電源等が配置されている。本体枠４１には、上下方向Ｈ及び左右方向Ｗにおける開口面積を極力大きくした開口領域４１１が形成されている。開口領域４１１は、遊技盤の裏側Ｄ１に種々の遊技部品、機能部品等を配置する際に利用可能なスペースとなる。
【００１７】
本形態の本体枠４１は、その剛性を高めるために板金を用いて形成されている。本体枠４１は、略四角形状に形成された開口領域４１１の上側、左右方向Ｗの両側及び下側にそれぞれ位置する上部４１２左右の側部４１３及び下部４１４を有する。球受入流下装置１の球受入部２０は、本体枠４１の上部４１２の裏側Ｄ１における左右方向Ｗの端部に対向する位置に配置されている。また、球受入流下装置１の球流下部３は、本体枠４１の側部４１３に対向する位置に配置されている。
【００１８】
（球受入部２０及び球供給部６の構成）
図１に示すように、本形態の球受入部２０は、遊技機４を裏側Ｄ１から見たときに、右上側角部４１５付近に配置されている。また、本形態の球流下部３は、遊技機４を裏側Ｄ１から見たときに、右側の側部に配置されている。より具体的には、球受入部２０は、本体枠４１の上部４１２における右側の端部に配置され、球流下部３は、本体枠４１の右側の側部４１３に配置されている。また、球流下部３は、本体枠４１の右側の側部４１３の略全長に亘って配置されている。
【００１９】
本形態の球流下部３は、その全体が遊技機４における左右方向Ｗの端部に配置されている。そして、球流下部３は、その略全長において、上下方向Ｈに沿って遊技球Ｂを流下させる。なお、球流下部３の上下方向Ｈの中間部分又は下流側部分には、上下方向Ｈに対して若干傾斜する方向へ遊技球Ｂを流下させる部分が含まれていてもよい。この場合にも、球流下部３の少なくとも上流側部分は、上下方向Ｈに沿って遊技球Ｂを流下させる。
【００２０】
本形態の球受入部２０は、球受入口２１から遊技球Ｂを受けて、遊技機４における遊技状態に応じて所定数の遊技球Ｂを払い出す球払出装置２によって構成されている。本形態において、球受入部２０とは、球払出装置２のことを示すことがある。本形態の遊技機４においては、島設備の球供給部６から球払出装置２へ遊技球Ｂを直接受け入れる。そして、球供給部６から球払出装置２の球受入口２１に受け入れられる遊技球Ｂは、球払出装置２の球払出部２６の回転を受けて、球払出装置２の球払出口２２から球流下部３へ払い出される。
【００２１】
また、図示は省略するが、本体枠４１の前面における、前扉の下方の位置には、遊技球Ｂを貯留可能な球皿が配置されており、本体枠４１の下部４１４における、球皿に対向する位置には、遊技盤の遊技領域へ遊技球Ｂを発射させる球発射装置等が配置されている。遊技盤の遊技領域における遊技において、種々の入賞等があったときには、制御装置から指令される数の遊技球Ｂが、球払出装置２から球流下部３を経由して球皿へ払い出される。
【００２２】
図２に示すように、球払出装置２は、モータ２５と、モータ２５による駆動力を受けて遊技球Ｂを払い出す球払出部２６と、球払出部２６を収容するとともに遊技球Ｂが通過する球払出通路２７１を有するケース２７とを有する。球払出通路２７１の上流端部に球受入口２１が形成され、球払出通路２７１の下流端部に球払出口２２が形成されている。球払出部２６は、遊技球Ｂが配置される凹部が回転中心軸の周りの複数箇所に形成されたスプロケット２６１によって構成されている。モータ２５からスプロケット２６１には、複数のギヤ２５１を介して動力が伝達される。球払出通路２７１には、スプロケット２６１によって払い出される遊技球Ｂの数を計測するセンサ２７２が配置されている。
【００２３】
本形態の球受入口２１には、球供給部６から２条の状態で遊技球Ｂが受け入れられ、スプロケット２６１の回転を受けて遊技球Ｂの流下状態が２条から１条に整流され、球払出口２２から１条の状態で遊技球Ｂが払い出される。より具体的には、球払出通路２７１における、球受入口２１からスプロケット２６１の入口までの部位は、２条に形成されており、スプロケット２６１の出口から球払出口２２までの部位は、１条に形成されている。スプロケット２６１は、２条の球払出通路２７１のそれぞれに配置されている。そして、２つのスプロケット２６１における、遊技球Ｂを受ける凹部の位相が互いにずれていることにより、２つのスプロケット２６１の回転によって、遊技球Ｂが２条から１条に整流される。
【００２４】
図示は省略するが、遊技盤の下端部には、遊技領域内に発射された遊技球Ｂであって、入賞口等に入賞せずに流下するアウト球が回収されるアウト口が形成されている。アウト口へ入る遊技球Ｂは、島設備における遊技球循環装置５へ回収される。また、島設備に配列された複数の遊技機４へは、遊技球循環装置５からそれぞれ遊技球Ｂが分配される。
【００２５】
図１及び図２に示すように、球供給部６は、遊技球循環装置５から各遊技機４へ遊技球Ｂを供給する球供給管６０の端部に設けられている。球供給部６には、球供給管６０に繋がる球供給通路６１１が形成されている。球供給口６１は、球供給通路６１１の下端部に形成されている。
【００２６】
球供給部６と球受入部２０との連結は、遊技機４が島設備に設置された後においては、外枠４０に対して本体枠４１を閉じる際に行われる。また、遊技機４のメンテナンス等を行う際に、外枠４０に対して本体枠４１を開けるときには、図３に示すように、本体枠４１に配置された球受入部２０が、島設備に固定された球供給部６から離れる。このとき、球供給部６から遊技球Ｂが零れることを防止するための、後述するシャッター部材６２が活用される。
【００２７】
本形態の遊技機４においては、本体枠４１に球タンク及びタンクレールが設けられていない。そして、遊技機４のメンテナンス等を行う際に、外枠４０に対して、本体枠４１を遊技機４の前側に開けるとき又は取り外すときには、遊技機４に残留する遊技球Ｂは、球受入部２０を構成する球払出装置２の球払出通路２７１内に残される僅かな数の遊技球Ｂのみとなる。そのため、球払出装置２及び球流下部３には、球払出装置２よりも上流側に貯留された遊技球Ｂを、メンテナンス等を行う前に事前に遊技機４の外部へ抜き出すための球抜き通路は形成されていない。そして、球払出装置２及び球流下部３には、遊技球Ｂを球皿へ向けて払い出すための通路のみ形成されている。球抜き通路がないことにより、球払出装置２に球抜き機構を設ける必要がなく、球払出装置２の構成を簡単にすることができる。また、本体枠４１の左右方向Ｗの側部４１３に球抜き通路が形成されないことにより、本体枠４１の開口領域４１１を、特に左右方向Ｗに拡大することができる。
【００２８】
球供給管６０は、遊技球Ｂが通過する方向を適宜変更可能な可撓性を有するジャバラ管等によって構成されている。球供給部６は、球供給管６０から２条の流下状態で受ける遊技球Ｂを、２条の流下状態のまま流下させるよう構成されている。球供給部６には、遊技球Ｂの外部への零れを防止する工夫がなされており、球供給部６と球受入部２０とには、それらの結合を容易にするための工夫がなされている。
【００２９】
図３に示すように、球供給部６には、球供給部６が球受入部２０から離れたときに、球供給部６の球供給口６１を閉じる（遮る）シャッター部材６２が配置されている。シャッター部材６２は、球供給口６１を開口する開口位置６２１と、球供給口６１を閉口する閉口位置６２２とに移動可能（本形態では回動可能）である。なお、シャッター部材６２が閉口位置６２２にあるときには、シャッター部材６２の一部によって、遊技球Ｂが球供給通路６１１を通過できないようになればよい。
【００３０】
図２に示すように、球受入部２０には、球供給口６１と球受入口２１とが連通されるときに、シャッター部材６２に直接又は間接的に係合して、シャッター部材６２を球供給口６１から退避させるための（閉口位置６２２から開口位置６２１へ回動させるための）退避係合部２３が設けられている。退避係合部２３は、球受入部２０の上部から上方へ突出して設けられている。
【００３１】
図２及び図３に示すように、球供給部６には、シャッター部材６２を閉口位置６２２へ付勢する付勢部材６３と、退避係合部２３に係合してシャッター部材６２を開口位置６２１へ回動させるための回動補助部材６４とが配置されている。本形態の付勢部材６３は、シャッター部材６２の回動支点部の周りに配置された、捩りコイルバネによって構成されている。球供給部６が球受入部２０から離れているときには、シャッター部材６２は、付勢部材６３による付勢力を受けて閉口位置６２２に維持されている。これにより、球供給部６が球受入部２０から離れているときに、球供給部６から外部へ遊技球Ｂが零れることが防止される。
【００３２】
回動補助部材６４は、上下方向Ｈにスライド可能に球供給部６に配置されている。球供給部６が球受入部２０から離れ、シャッター部材６２が付勢部材６３の付勢力を受けて閉口位置６２２に維持されるときには、回動補助部材６４は、その自重、及び付勢部材６３によって付与されるシャッター部材６２の下方への付勢力を受けて、下側にスライドした位置に維持されている。
【００３３】
そして、図２に示すように、球供給部６が球受入部２０に連結されるときには、退避係合部２３に押されて回動補助部材６４が上方へスライドし、回動補助部材６４に押されてシャッター部材６２が閉口位置６２２から開口位置６２１へ回動する。これにより、球供給部６が球受入部２０に連結される動作を利用して、シャッター部材６２を開口位置６２１へ回動させることができる。
【００３４】
図４〜図６に示すように、島設備に遊技機４を設置する際には、島設備に設けられた球供給部６に対して遊技機４における球受入部２０が連結される。球受入部２０には、球受入部２０の上部から上方へ突出する位置決め部２４が設けられている。球供給部６には、球受入部２０と係合するとともに球受入部２０に設けられた位置決め部２４を案内して、球供給口６１と球受入口２１との上下方向Ｈ、左右方向Ｗ及び前後方向Ｄの位置決めを行うための案内部７２が設けられている。
【００３５】
より具体的には、球供給部６は、島設備において、遊技機４の左右方向Ｗに沿って設けられたレール５１に取り付けられている。球供給部６は、レール５１に取り付けられた取付部７１と、取付部７１に対して上下方向Ｈ、前後方向Ｄ及び左右方向Ｗのそれぞれの方向にスライド可能な案内部７２とを有する。また、球供給部６は、案内部７２を上下方向Ｈにスライドさせる上下スライド部７３と、案内部７２を前後方向Ｄにスライドさせる前後スライド部７４と、案内部７２を左右方向Ｗにスライドさせる左右スライド部７５とを有する。そして、案内部７２は、上下方向Ｈ、前後方向Ｄ及び左右方向Ｗの三次元方向に自由に移動できるように（フローティングできるように）、取付部７１に配置されている。
【００３６】
図４及び図５に示すように、案内部７２は、左右スライド部７５の下面を構成する案内面７２１に形成されている。また、上下スライド部７３、前後スライド部７４及び左右スライド部７５には、案内部７２を上下方向Ｈ、前後方向Ｄ及び左右方向Ｗのそれぞれの方向の一方側へ付勢する付勢部７３１，７４１，７５１が設けられている。付勢部７３１，７４１，７５１は、バネ等によって構成される。また、球供給管６０は、左右スライド部７５に取り付けられている。
【００３７】
本形態においては、図５に示すように、取付部７１に対して上下スライド部７３がスライド可能に設けられ、上下スライド部７３に対して前後スライド部７４がスライド可能に設けられ、前後スライド部７４に対して、案内部７２を有する左右スライド部７５がスライド可能に設けられている。また、案内部７２は、位置決め部２４に対する案内部７２の位置を調整するための上下傾斜面７２３、左右壁部７２４及び前後壁部７２５を有する。
【００３８】
上下傾斜面７２３は、上下方向Ｈに傾斜して形成されており、位置決め部２４に上方から接触して、位置決め部２４に対する案内部７２の上下方向Ｈの位置を調整する部位である。左右壁部７２４は、案内面７２１から下方に突出して形成されており、位置決め部２４に左右方向Ｗの外側から接触して、位置決め部２４に対する案内部７２の左右方向Ｗの位置を調整するための部位である。前後壁部７２５は、案内面７２１から下方に突出して形成されており、位置決め部２４に前後方向Ｄの裏側Ｄ１から接触して、位置決め部２４に対する案内部７２の前後方向Ｄの位置を調整するための部位である。
【００３９】
図５に示すように、左右壁部７２４は、案内部７２の左右方向Ｗの外側（遊技機４の裏側Ｄ１から見て右側）の位置に形成されている。前後壁部７２５は、案内部７２の前後方向Ｄの裏側Ｄ１の位置に形成されている。左右壁部７２４と前後壁部７２５とが繋がる部位には、球供給口６１と球受入口２１との位置合わせを行うために、位置決め部２４が案内される案内位置Ｐが形成されている。案内位置Ｐは、位置決め部２４が嵌まり込むよう、左右壁部７２４の一部を凹状に屈曲させて形成されている。
【００４０】
図４及び図５においては、付勢部７３１，７４１，７５１を簡略的に示し、付勢部７３１，７４１，７５１のそれぞれが案内部７２を付勢する方向を矢印によって示す。位置決め部２４を案内位置Ｐへ案内するために、付勢部７３１は上下スライド部７３を下方へ付勢し、付勢部７４１は前後スライド部７４を前方へ付勢し、付勢部７５１は左右スライド部７５を、遊技機４の裏側Ｄ１から見て左方へ付勢する。
【００４１】
図１に示すように、本形態の球供給部６及び球受入部２０は、遊技機４における左右方向Ｗの端部であって、外枠４０に対して本体枠４１を開閉可能にするヒンジ部が設けられた側の端部に配置されている。本形態においては、遊技機４を裏側Ｄ１から見たときに、ヒンジ部は右側の端部に設けられており、球供給部６及び球受入部２０は右上側角部４１５に配置されている。
【００４２】
（球受入部２０と球供給部６の連結動作）
遊技機４における、本体枠４１の裏側に設けられた部品のメンテナンスは、外枠４０に対して本体枠４１を開けた状態において行われる。このとき、本体枠４１における球受入部２０は、島設備の球供給部６から離れた状態にある。そして、メンテナンスが終わった後には、遊技機４の管理者は、本体枠４１を、ヒンジ部を介して回動させて外枠４０に対して閉じる。本体枠４１が回動するとき、本体枠４１における球受入部２０は、遊技機４における左右方向Ｗの内側から外側に移動するとともに、遊技機４における前後方向Ｄの前方から後方へ移動する。
【００４３】
そして、球受入部２０の位置決め部２４が、球供給部６の上下傾斜面７２３、左右壁部７２４及び前後壁部７２５に接触することにより、位置決め部２４が案内位置Ｐへ配置されるよう、球供給部６の案内部７２が上下方向Ｈ、左右方向Ｗ及び前後方向Ｄへスライドする。次いで、本体枠４１が外枠４０に対して閉じられるときには、退避係合部２３が回動補助部材６４を押し、回動補助部材６４がシャッター部材６２を押すことによって、シャッター部材６２が閉口位置６２２から開口位置６２１へ回動する。これにより、球受入部２０の球受入口２１が球供給部６の球供給口６１に連結される。
【００４４】
（作用効果）
本形態の球受入流下装置１は、遊技機４が設置される島設備の遊技球循環装置５の球供給部６から遊技球Ｂを球払出装置２へ受け入れるようにしたものである。球払出装置２は、遊技機４の裏側Ｄ１に位置する本体枠４１における上側角部４１５付近に配置されている。また、球払出装置２の下方には、遊技機４の左右方向Ｗの端部付近において上下方向Ｈに沿って遊技球Ｂを流下させるための球流下部３が連結されている。つまり、球払出装置２及び球流下部３はともに遊技機４の左右方向Ｗの端部付近に配置されている。そのため、球払出装置２及び球流下部３が、遊技機４の裏側Ｄ１における左右方向Ｗに占有するスペースを極力小さくすることができる。
【００４５】
球払出装置２が本体枠４１の上側角部４１５付近に配置されることにより、遊技機４において賞球のための遊技球Ｂの貯留数を極めて少なくすることができる。また、球払出装置２の下方に球抜き通路を形成する必要がないことにより、球抜き通路が遊技機４の裏側Ｄ１に占有するスペースをなくすことができる。
【００４６】
また、球供給部６から球払出装置２へ遊技球Ｂを受け入れることにより、遊技機４の裏側Ｄ１の本体枠４１の上部において遊技球Ｂを貯留するための球タンク及びタンクレールを廃止することができる。そして、遊技機４の本体枠４１において、球払出装置２及び球流下部３が配置されるスペースは、遊技機４の左右のいずれかの端部に集約される。これにより、遊技機４の裏側Ｄ１の上部において、種々の機能部品の配置に利用可能なスペースを更に拡大することができる。
【００４７】
それ故、本形態の遊技機４の球受入流下装置１によれば、遊技機４の裏側Ｄ１の上部における利用可能なスペースの更なる拡大化を図ることができる。
【００４８】
なお、球供給部６は、島設備の遊技球循環装置５に設けられているものの、球払出装置２（球受入部２０）とセットにして用いられることより、遊技機４を構成する部品として捉えることもできる。すなわち、遊技機４は、球払出装置２とセットにして球供給部６を備えていることができる。
【００４９】
本体枠４１に対して開閉可能な前扉の上枠部には、前扉の上枠部に画像を投影するリア投影型のプロジェクターを配置してもよい。リア投影型のプロジェクターの前後方向Ｄの寸法は大きい。本形態の球受入流下装置１においては、球タンク及びタンクレールを廃止したことによって、本体枠４１の開口領域４１１が上方へ拡大されている。そのため、この開口領域４１１の上側部分を利用して、リア投影型のプロジェクターを配置することができる。
【００５０】
本発明は、実施形態のみに限定されるものではなく、その要旨を逸脱しない範囲においてさらに異なる実施形態を構成することが可能である。また、本発明は、様々な変形例、均等範囲内の変形例等を含む。
【符号の説明】
【００５１】
１  球受入流下装置
２  球払出装置
２０  球受入部
２１  球受入口
２２  球払出口
３  球流下部
４  遊技機
４１５  上側角部
６  球供給部
６１  球供給口
７２  案内部
７３１，７４１，７５１  付勢部
【図１】
2019024840.tif 000003
【図２】
2019024840.tif 000004
【図３】
2019024840.tif 000005
【図４】
2019024840.tif 000006
【図５】
2019024840.tif 000007
【図６】
2019024840.tif 000008